(57)【要約】【課題】遊技機島の補給樋からパチンコ機裏面の賞球タンクにパチンコ球を補給する補給装置の構造を簡略化する。【解決手段】パチンコ機内枠の開閉により賞球タンク１１の側壁に係合して第１状態（破線）と第２状態（実線）とに交互に回動可能に開閉レバー６１を軸支し、回転軸近傍から、先端に排出部７０を有する排出腕６２を突設する。排出部７０は空洞部７１と排出ノズル７２を有し、第１状態で空洞部７１のアウター排出口７３と排出ノズル７２のインナー排出口７４との穴位置が合って補給状態になり、第２状態で穴位置がずれて補給停止状態になる。パチンコ球はコイルバネで構成された弾性を有する案内管８０で排出ノズル７２へ案内される。案内管８０の張力で開閉レバー６１は第１状態から第２状態へ復帰し、かつ案内管８０の張力により、開閉レバー６１の回動に伴って空洞部７１と排出ノズル７２が相対回転する。【選択図】図１
2005204687.tif 000002
【特許請求の範囲】
【請求項１】
遊技機島内の補給経路から供給されるパチンコ球を、この遊技機島に列設されたパチンコ機の背面に設置された賞球タンクに補給するパチンコ球補給装置であって、
前記遊技機島に取り付けられるベース部と、
前記パチンコ機の内枠の開閉に伴って移動する前記賞球タンクの側壁と係合して、前記内枠を閉じたときの第１の状態と、開いたときの第２の状態とに交互に回動可能に前記ベース部に軸支された開閉レバーと、
前記開閉レバーから突出して設けられ、先端にパチンコ球の排出部が位置する排出腕と、
前記開閉レバーが前記第１の状態のとき前記排出部からパチンコ球が流出可能な補給状態を形成し前記第２の状態のとき前記排出部からパチンコ球が流出不能な補給停止状態を形成するパチンコ球流出阻止機構と、
一端が前記ベース部に固定されるとともに他端が前記排出腕の先端近傍に係止され、前記補給経路から供給されるパチンコ球を前記排出部に向けて案内する弾性を有する案内管とを備え、
前記案内管の弾性により、前記第１の状態から前記第２の状態へ前記開閉レバーが復帰するように前記排出腕を付勢した
ことを特徴とするパチンコ球補給装置。
【請求項２】
前記排出部は、前記開閉レバーの回転軸と平行な軸方向を持つ空洞部と、Ｌ字に屈曲し、その一方の腕が前記空洞部に回動可能に嵌入された排出ノズルと、前記空洞部の周壁に形成されたアウター排出口と、前記排出ノズルの周壁に形成されたインナー排出口とを備え、前記空洞部と前記排出ノズルとの相対回転により、前記アウター排出口と前記インナー排出口の穴位置が合った前記補給状態と前記穴位置のずれた前記補給停止状態とを形成する前記パチンコ球流出阻止機構として機能し、
前記案内管は、前記他端が前記排出ノズルの他方の腕に接続され、この腕を前記案内管の前記ベース部に固定された一端方向へ引っ張ることで、前記開閉レバーの回動に伴って前記空洞部と前記排出ノズルとの相対回転を生じさせる
ことを特徴とする請求項１に記載のパチンコ球補給装置。
【請求項３】
前記第１状態において、前記排出部の排出口からパチンコ球が真下または斜め下方へ流出するようにした
ことを特徴とする請求項１または２に記載のパチンコ球補給装置。
【請求項４】
前記パチンコ球流出阻止機構は、前記第２の状態から第１の状態へ至る途中から前記補給状態を形成する
ことを特徴とする請求項１、２または３に記載のパチンコ球補給装置。
【請求項５】
前記排出腕は、前記開閉レバーが前記第１の状態のとき先端が前記賞球タンク内に進入し、前記開閉レバーが前記第２の状態のとき前記賞球タンクから退避する
ことを特徴とする請求項１、２、３または４に記載のパチンコ球補給装置。
【請求項６】
前記開閉レバーが前記第１の状態のときに先端の排出部が前記賞球タンク内に入る範囲で前記排出腕を短くした
ことを特徴とする請求項１、２、３、４または５に記載のパチンコ球補給装置。
【請求項７】
前記案内管は、パチンコ球が通過し得るだけの内径が保持される弾性体で構成されている
ことを特徴とする請求項１、２、３、４、５または６に記載のパチンコ球補給装置。
【請求項８】
前記案内管を、コイルバネで構成した
ことを特徴とする請求項１、２、３、４、５、６または７に記載のパチンコ球補給装置。
【請求項９】
前記開閉レバーの回動によりオンオフされるスイッチを有する
ことを特徴とする請求項１、２、３、４、５、６、７または８に記載のパチンコ球補給装置。
【請求項１０】
前記スイッチは、前記開閉レバーが前記第１の状態と前記第２の状態のいずれにあるかに応じてオンオフして、前記内枠の開閉状態を検知する
ことを特徴とする請求項９に記載のパチンコ球補給装置。
【発明の詳細な説明】
【技術分野】
【０００１】
本発明は、遊技機島の補給径路から供給されるパチンコ球を、この遊技機島に収容されたパチンコ機の裏面に設置された賞球タンクに常時連続的に補給するパチンコ球補給装置に関する。
【背景技術】
【０００２】
遊技機島の補給径路から供給されるパチンコ球をパチンコ機の裏面に設置された賞球タンクに補給するパチンコ球補給装置には、一定数のパチンコ球を単位に補給する定数補給方式と、常時連続的にパチンコ球を補給する常時補給方式とがある。近年のＣＲ機などは、賞球として払い出されたパチンコ球の数をパチンコ機側で計数しているので、パチンコ球補給装置としては、常時補給方式が一般的になっている。
【０００３】
常時補給方式を用いたパチンコ球補給装置は、たとえば、賞球を一列に整列して流下させる整列通路を備えた支持台と、この支持台に、パチンコ機の内枠を開閉したときに賞球タンクの側壁と係合して第１の状態と第２の状態とに交互に回動可能に軸支され、かつ前記整列通路と連通すると共にその先端が賞球タンク内に臨む補給筒と作動腕とが二又状に形成された回動補給部材と、この回動補給部材の回動に従動して整列通路から補給筒への賞品球の流下を制御する球止め部材とから構成されている（たとえば、特許文献１、特許文献２、特許文献３参照。）。
【０００４】
上記のパチンコ球補給装置では、内枠を閉じると、賞球タンクが回動補給部材の下方に進出し、この賞球タンクの背面側壁に押し上げられて作動腕が回動し、これに伴って補給筒の先端が賞球タンク内へ下降進入して第１の状態となり、球止め部材がパチンコ球の補給経路内から退避して、補給筒先端からのパチンコ球の流出が許容される。
【０００５】
一方、内枠を開くと、賞球タンクが回動補給部材の下方から退去して回動補給部材が内枠を閉じたときと逆方向に回動し、補給筒の先端が賞球タンクより上方まで上昇した第２の状態になるとともに、球止め部材がパチンコ球の補給通路内に突入して補給筒先端からのパチンコ球の流出が阻止されるようになっている。
【０００６】
【特許文献１】特開平３−７３１８１号公報
【特許文献２】実開平４−９２２８２号公報
【特許文献３】特開平３−１４９０７２号公報
【発明の開示】
【発明が解決しようとする課題】
【０００７】
上記のパチンコ球補給装置では、二股状をなす回転補給部材の回転軸内に空洞を形成してパチンコ球の通路を設け、整列通路からのパチンコ球を回転軸内の通路と補給筒内の通路とを経て排出するので、回転軸やその周辺部分の構造が複雑なものになっていた。
【０００８】
また、内枠を開いて賞球タンクが回動補給部材の下方から退去したとき、これに追従して回動補給部材を第１の状態から第２の状態へ自動的に回動させるためのスプリングを別途設ける必要があった。
【０００９】
さらに、内枠を開いたときにパチンコ球が補給筒から流出しないように、回転補給部材の回動に従動して通路の途中に球止め部材を出没させていたので、回転運動をスライド運動に変換する機構等を必要とし、流出阻止のための構造が複雑化していた。
【００１０】
また、従来は、補給筒から流出されたパチンコ球が賞球タンクから飛び出さないように、内枠を閉じた状態で補給筒の先端が賞球タンクの底面近くに位置するようにし、この先端の側部からパチンコ球を横へ排出するように構成されていた。このため、賞球タンクに多量のパチンコ球が貯留されているときは、これらのパチンコ球が補給筒の回動を妨げて、内枠の円滑な開閉ができないという問題があった。
【００１１】
このほか、従来は、パチンコ機の内枠の開閉を検知するスイッチをパチンコ機自身に設けていたが、検知信号の出力形態がパチンコ機のメーカや機種によって様々なため、検知信号を集約して管理する際の取り扱いが不便であった。
【００１２】
本発明は、上記の問題を解決しようとする課題にするものであり、遊技機島の補給径路から供給されるパチンコ球を、この遊技機島に収容されたパチンコ機の裏面に設置された賞球タンクに補給するパチンコ球補給装置において、その構造を簡略化すること、賞球タンクからの補給玉の飛び出しを防止しつつ円滑な内枠の開閉を可能にすること、パチンコ球補給装置により内枠の開閉状態を検知可能にすることを目的としている。
【課題を解決するための手段】
【００１３】
請求項１に係わる発明は、遊技機島内の補給経路から供給されるパチンコ球を、この遊技機島に列設されたパチンコ機の背面に設置された賞球タンク（１１）に補給するパチンコ球補給装置であって、
前記遊技機島に取り付けられるベース部（３１、３２、３３）と、
前記パチンコ機の内枠（１３）の開閉に伴って移動する前記賞球タンク（１１）の側壁と係合して、前記内枠（１３）を閉じたときの第１の状態と、開いたときの第２の状態とに交互に回動可能に前記ベース部（３１、３２、３３）に軸支された開閉レバー（６１）と、
前記開閉レバー（６１）から突出して設けられ、先端にパチンコ球の排出部（７０）が位置する排出腕（６２）と、
前記開閉レバー（６１）が前記第１の状態のとき前記排出部（７０）からパチンコ球が流出可能な補給状態を形成し前記第２の状態のとき前記排出部（７０）からパチンコ球が流出不能な補給停止状態を形成するパチンコ球流出阻止機構（７３、７４）と、
一端が前記ベース部（５１）に固定されるとともに他端が前記排出腕（６２）の先端近傍に係止され、前記補給経路から供給されるパチンコ球を前記排出部（７０）に向けて案内する弾性を有する案内管（８０）とを備え、
前記案内管（８０）の弾性により、前記第１の状態から前記第２の状態へ前記開閉レバー（６１）が復帰するように前記排出腕（６２）を付勢した
ことを特徴とするパチンコ球補給装置である。
【００１４】
上記発明によれば、パチンコ機の内枠（１３）を開閉すると、これに伴って移動する賞球タンク（１１）の側壁に係合して開閉レバー（６１）が、内枠（１３）を閉じたときの第１の状態と、開いたときの第２の状態とに交互に回動する。また、開閉レバー（６１）から突設された排出腕（６２）も同時に回動する。
【００１５】
たとえば、内枠（１３）を閉じたときに開閉レバー（６１）の下方に進出する賞球タンク（１１）の背面側壁端に押し上げられて開閉レバー（６１）が上方に回動して第１の状態になり、このとき、排出腕（６２）の先端が下降して賞球タンク（１１）内へ進入等する。内枠（１３）を閉じて開閉レバー（６１）が第１の状態になると、パチンコ球流出阻止機構（７３、７４）が補給状態を形成し、排出腕（６２）先端の排出部（７０）から賞球タンク（１１）内へパチンコ球が補給される。
【００１６】
パチンコ球は、ベース部（５１）に一端が固定され、他端が排出腕（６２）の先端近傍に係止された案内管（８０）を通じて補給経路から排出部（７０）へ案内される。この案内管（８０）は、弾性を備えており、第１の状態から第２の状態へ開閉レバー（６１）が復帰するように排出腕（６２）を付勢している。すなわち、開閉レバー（６１）が第１の状態へ回動すると、これに伴って排出腕（６２）が移動し、この移動によって伸張された案内管（８０）の復元力により、開閉レバー（６１）が第１の状態から第２の状態へ復帰するように付勢される。
【００１７】
このように、フレキシブルで弾性を有する案内管（８０）によって補給経路から排出部（７０）までパチンコ球を案内するので、開閉レバー（６１）の回転軸部分に空洞を設けてパチンコ球の通路を形成等の必要がなく、パチンコ球補給装置の構造を簡略なものにすることができる。また、内枠（１３）を閉じたとき、これに追従して開閉レバー（６１）を第２の状態にするための力を、パチンコ球の補給路である案内管（８０）の弾性から得ているので、第２の状態に復帰させるために別途スプリング等を設ける必要がなく、構造がより一層簡略化される。
【００１８】
なお、排出腕（６２）および開閉レバー（６１）は、全体でＬ字状やＶ字状をなし、両辺の交点近傍で軸支されるように構成するとよい。このほか、たとえば、開閉レバー（６１）を軸支する箇所から離して排出腕（６２）を突出するよう（たとえばＴ字状）に構成してもよい。常時補給方式を採用する場合には、排出腕（６２）は、開閉レバー（６１）が第１の状態のとき先端が賞球タンク（１１）内へ進入し、開閉レバー（６１）が第２の状態のとき賞球タンク（１１）から退避するように開閉レバー（６１）から突設させることが望ましい。
【００１９】
案内管（８０）は、全体が弾性を有していても、一部の箇所のみが弾性を有するものであってもよい。弾性を有する案内管（８０）は、開閉レバー（６１）が第１の状態となった場合にもパチンコ球が通過し得る内径を保持可能なものであればよく、ゴム管やコイルバネなどで構成することができる。
【００２０】
案内管（８０）をベース部（５１、３１、３２、３３）に固定する位置は、開閉レバー（６１）が第２の状態から第１の状態へ回動した際に、案内管（８０）の伸張率ができるだけ大きくなるように設定するとよい。また、第１の状態となったとき、排出腕（６２）の先端近傍で案内管（８０）を係止している箇所が、開閉レバー（６１）の回転軸（５３）とベース部（５１、３１、３２、３３）側に案内管（８０）を固定している位置とを結ぶ直線（デッドポイント）を越えないようにすることが重要である。
【００２１】
なお、案内管（８０）の先端を直接、パチンコ球の排出口（７３）としてもよいし、案内管（８０）の接続箇所から排出口（７３）までを連通させる経路を排出部（７０）内に設けてもよい。
【００２２】
請求項２に係わる発明は、前記排出部（７０）は、前記開閉レバー（６１）の回転軸（５３）と平行な軸方向を持つ空洞部（７１）と、Ｌ字に屈曲し、その一方の腕が前記空洞部（７１）に回動可能に嵌入された排出ノズル（７２）と、前記空洞部（７１）の周壁に形成されたアウター排出口（７３）と、前記排出ノズル（７２）の周壁に形成されたインナー排出口（７４）とを備え、前記空洞部（７１）と前記排出ノズル（７２）との相対回転により、前記アウター排出口（７３）と前記インナー排出口（７４）の穴位置が合った前記補給状態と前記穴位置のずれた前記補給停止状態とを形成する前記パチンコ球流出阻止機構（７３、７４）として機能し、
前記案内管（８０）は、  前記他端が前記排出ノズル（７２）の他方の腕に接続され、この腕を前記案内管（８０）の前記ベース部（３１、３２、３３）に固定された一端方向へ引っ張ることで、前記開閉レバー（６１）の回動に伴って前記空洞部（７１）と前記排出ノズル（７２）との相対回転を生じさせる
ことを特徴とする請求項１に記載のパチンコ球補給装置である。
【００２３】
上記発明によれば、弾性を有する案内管（８０）により排出ノズル（７２）の端部をベース部（５１、３１、３２、３３）に固定した一端側に向けて常に引っ張るので、開閉レバー（６１）の回動に伴って排出腕（６２）先端の空洞部（７１）と排出ノズル（７２）とが相対的に回転する。これにより、開閉レバー（６１）が第１の状態になると、空洞部（７１）の周壁に形成されたアウター排出口（７３）と排出ノズル（７２）の周壁に形成されたインナー排出口（７４）との穴位置が合って、排出部（７０）からパチンコ球が流出する補給状態が形成される。一方、開閉レバー（６１）が第２の状態になると、アウター排出口（７３）とインナー排出口（７４）との穴位置がずれて、排出部（７０）からパチンコ球が流出できない補給停止状態が形成される。
【００２４】
すなわち、開閉レバー（６１）の回転軸（５３）と平行でかつオフセットした位置に空洞部（７１）を設け、ここを排出ノズル（７２）の回転軸としているので、開閉レバー（６１）を回動させることで空洞部（７１）が開閉レバー（６１）の回転軸（５３）を中心に円弧を描いて移動する。この円弧を描いた移動によって空洞部（７１）の半径方向の向きが変化するのに対して、排出ノズル（７２）は、そのＬ字に屈曲したうちの空洞部（７１）に嵌入されていない方の腕の端部が案内管（８０）のベース部（５１、３１、３２、３３）への固定端に向けて引っ張られているので向きの変化量が空洞部（７１）と相違し、空洞部（７１）と排出ノズル（７２）とが相対回転する。
【００２５】
このように、回転運動を往復運動に変えることなく、しかも、開閉レバー（６１）の回転軸（５３）と異なる回転軸（５３）で空洞部（７１）と排出ノズル（７２）とを相対回転させることによりパチンコ球の補給状態と補給停止状態とを切り替えるので、簡易な構造でパチンコ球流出阻止機構としての機能が実現される。また、パチンコ球を排出部（７０）へ案内する案内管（８０）の弾性を利用して相対回転を生じさせるので、別途の部品を設ける必要がなく、構造が簡素化される。
【００２６】
請求項３に係わる発明は、前記第１状態において、前記排出部（７０）の排出口（７３）からパチンコ球が真下または斜め下方へ流出するようにした
ことを特徴とする請求項１または２に記載のパチンコ球補給装置である。
【００２７】
上記発明によれば、排出部（７０）の有する排出口（７３）の真下または斜め下方にパチンコ球が排出される。これにより、第１の状態において、排出腕（６２）先端の排出部（７０）が賞球タンク（１１）の底面近く達するほどに排出腕（６２）を長くしなくても、パチンコ球の飛び出しが防止される。特に、空洞部（７１）と排出ノズル（７２）の相対回転によって補給状態と補給停止状態とを切り替えるものでは、アウター排出口（７３）を設ける位置を適宜に設定するだけで、真下や斜め下方にパチンコ球を排出することが可能になる。
【００２８】
請求項４に係わる発明は、前記パチンコ球流出阻止機構（７３、７４）は、前記第２の状態から第１の状態へ至る途中から前記補給状態を形成する
ことを特徴とする請求項１、２または３に記載のパチンコ球補給装置である。
【００２９】
上記発明によれば、第２の状態から第１の状態へ回動するときは、完全に第１の状態になる手前から補給状態となる。また逆に第１の状態から第２の状態へ回動するときは、完全に第２の状態になる手前から補給停止状態になる。賞球タンク（１１）のサイズの違い等により、パチンコ機の内枠（１３）を閉じても完全に第１の状態に至らないような場合にも、パチンコ球の補給が可能になり、様々な機種に適合させることが可能になる。一方、完全に第２の状態に至る前に補給停止状態になるので、内枠（１３）を開く際に賞球タンク（１１）からパチンコ球が飛び出すことが防止される。このような機能は、たとえば、インナー排出口（７４）を楕円や長穴にすることで実現される。
【００３０】
請求項５に係わる発明は、前記排出腕（６２）は、前記開閉レバー（６１）が前記第１の状態のとき先端が前記賞球タンク（１１）内に進入し、前記開閉レバー（６１）が前記第２の状態のとき前記賞球タンク（１１）から退避する
ことを特徴とする請求項１、２、３または４に記載のパチンコ球補給装置である。
【００３１】
上記発明によれば、パチンコ球の補給状態となる第１の状態において排出腕（６２）先端の排出部（７０）が賞球タンク（１１）内に進入し、補給停止状態の第２の状態になると排出腕（６２）が賞球タンク（１１）から退避する。常時補給方式では、補給状態においてパチンコ球が自然落下で補給される状態が形成され、賞球タンク（１１）内に貯留されたパチンコ球によって排出口（７３）が閉鎖されると補給が止まり、賞球タンク（１１）内のパチンコ球が減ると補給が再開するようになっている。
【００３２】
このような補給動作を適切に行なうために、補給状態において、排出腕（６２）先端の排出部（７０）が賞球タンク（１１）内に進入する。一方、パチンコ機の内枠（１３）を開くときに、パチンコ球補給装置（３０）の下方から退却する賞球タンク（１１）の側壁等と排出腕（６２）とが衝突しないように、第２の状態では排出腕（６２）が賞球タンク（１１）から退避した位置に移動するようになっている。
【００３３】
請求項６に係わる発明は、前記開閉レバー（６１）が前記第１の状態のときに先端の排出部（７０）が前記賞球タンク（１１）内に入る範囲で前記排出腕（６２）を短くした
ことを特徴とする請求項１、２、３、４または５に記載のパチンコ球補給装置である。
【００３４】
上記発明によれば、第１の状態において排出腕（６２）が賞球タンク（１１）内へ浅く進入する。たとえば、常時補給方式において、賞球タンク（１１）内に多数のパチンコ球を貯留することが可能になる。また、賞球タンク（１１）内に進入する部分が短いので、貯留されているパチンコ球によって排出腕（６２）の回動が妨げられ難く、内枠（１３）の円滑な開閉操作が可能になる。
【００３５】
請求項７に係わる発明は、前記案内管（８０）は、パチンコ球が通過し得るだけの内径が保持される弾性体で構成されている
ことを特徴とする請求項１、２、３、４、５または６に記載のパチンコ球補給装置である。
【００３６】
上記発明によれば、案内管（８０）は、開閉レバー（６１）が第１の状態となって伸びたときにも、パチンコ球を通過させ得るだけの内径を確保するので、パチンコ球が円滑に排出部（７０）へ案内される。
【００３７】
請求項８に係わる発明は、前記案内管（８０）を、コイルバネで構成した
ことを特徴とする請求項１、２、３、４、５、６または７に記載のパチンコ球補給装置である。
【００３８】
請求項９に係わる発明は、前記開閉レバー（６１）の回動によりオンオフされるスイッチ（５４）を有する
ことを特徴とする請求項１、２、３、４、５、６、７または８に記載のパチンコ球補給装置である。
【００３９】
上記発明によれば、パチンコ機の内枠（１３）の開閉に連動する開閉レバー（６１）の回動によってスイッチ（５４）がオンオフされる。このスイッチ（５４）は、たとえば、補給状態と補給停止状態のいずれにあるかを検出したり、内枠（１３）の開閉状態を検出したりするために利用できる。
【００４０】
請求項１０に係わる発明は、前記スイッチ（５４）は、前記開閉レバー（６１）が前記第１の状態と前記第２の状態のいずれにあるかに応じてオンオフして、前記内枠（１３）の開閉状態を検知する
ことを特徴とする請求項９に記載のパチンコ球補給装置である。
【００４１】
上記発明によれば、内枠（１３）の開閉状態がパチンコ球補給装置に設けたスイッチ（５４）により検出される。パチンコ機に設けたスイッチ（５４）で内枠（１３）の開閉を検出する場合には、検知信号の出力形態がパチンコ機のメーカや機種によって様々となるが、パチンコ機補給装置側で内枠（１３）の開閉を検出するので、パチンコ機の機種やメーカに左右されず、検知信号の一律な管理が可能になる。
【発明の効果】
【００４２】
本発明に係わるパチンコ球補給装置によれば、パチンコ球を排出腕先端の排出部へ案内する経路としての案内管に弾性を持たせているので、パチンコ機の内枠を開くとき、これに追従して開閉レバーが復帰する力を案内管によって与えることができ、別途にスプリングを設ける必要がなく、パチンコ球補給装置の構造を簡単化することができる。
【００４３】
また、パチンコ球を案内管によって排出部まで案内するので、開閉レバーの回転軸内に空洞を設けてパチンコ球の通路を形成しなくて済み、構造の複雑化が防止される。
【００４４】
また、開閉レバーの回動に伴って排出腕先端の空洞部と排出ノズルとを相対回転させることでパチンコ球の補給状態と補給停止状態とを切り替えるように構成したものでは、回転運動を往復運動に変えてピンを通路内に出没させるもの等に比べて、簡易な構造でパチンコ球流出阻止機構が実現される。また、パチンコ球を排出部へ案内する案内管の弾性を利用して上記の相対回転を生じさせるので、別途の部品を設ける必要がなく、構造が簡素化される。
【００４５】
排出口の真下または斜め下方にパチンコ球を排出するように構成したものでは、排出腕の先端を賞球タンク内に深く侵入させなくても、補給するパチンコ球の飛び出しが防止される。
【００４６】
第２の状態から第１の状態へ至る途中からパチンコ球流出阻止機構が補給状態を形成するものでは、賞球タンクのサイズの違い等により、パチンコ機の内枠を閉じても開閉レバーが完全に第１の状態に至らないような場合でも、パチンコ球の補給が可能になり、様々な機種への適合が可能になる。また、完全に第２の状態に至る前に補給停止状態になるので、内枠を開く際に、賞球タンクからのパチンコ球の飛び出しが防止される。
【００４７】
パチンコ球の補給状態となる第１の状態において排出腕先端の排出部が賞球タンク内に進入し、補給停止状態の第２の状態のとき排出腕が賞球タンクから退避するものでは、パチンコ機の内枠の開閉時に排出腕と賞球タンク側壁とが衝突することを回避しつつ、常時補給方式による適切な補給が実現される。
【００４８】
開閉レバーが第１の状態のときに先端の排出部が賞球タンク内に入る範囲で排出腕を短くしたものでは、排出腕が賞球タンクに浅く進入するので、常時補給方式において、賞球タンク内に多数のパチンコ球を貯留することができる。また、賞球タンク内に進入する部分が短いので、貯留されているパチンコ球によって排出腕の回動が妨げられ難く、内枠の円滑な開閉操作が可能になる。
【００４９】
案内管を、パチンコ球が通過し得るだけの内径が保持される弾性体で構成したものでは、開閉レバーが第１の状態となって案内管が伸びたときにも、パチンコ球を通過させ得るだけの内径が確保され、パチンコ球が円滑に排出部へ案内される。案内管を、コイルバネで構成したものでは、フレキシブルで充分な弾性を得つつ、パチンコ球の通る内径を保持可能な案内管が容易に実現される。
【００５０】
開閉レバーの回動によりオンオフされるスイッチを設けたものでは、このスイッチを、補給状態と補給停止状態のいずれにあるかを検出したり、内枠の開閉状態を検出したりするために利用することができる。特に、このスイッチで内枠の開閉状態を検知するように構成したものでは、パチンコ機の機種やメーカにかかわらず検知信号の出力形態を一律に統一することができ、検知信号の集約や管理が容易になる。
【発明を実施するための最良の形態】
【００５１】
以下、図面に基づき本発明の実施の形態を説明する。
【００５２】
図２は、パチンコ機１０と玉貸機２とを一組としたものを多数列設収容した遊技機島２０の一部を示している。遊技機島２０の上部には、パチンコ球を遊技機島２０の中央上部に設置された図示省略の上部タンクから島端に向けて流すための玉補給樋２１が架け渡してある。
【００５３】
この玉補給樋２１の途中には、流下するパチンコ球を取り込むための玉取入器２２が各パチンコ機１０に対応して取り付けてある。玉取入器２２によって取り込まれたパチンコ球は、蛇腹状の玉補給管２３を通じて各パチンコ機１０に供給される。また、遊技機島２０の下部には、各パチンコ機１０から排出されたパチンコ球を島中央に設置された図示省略の揚送研磨装置へ回収するための回収樋２４が島端から島中央に向けて下方傾斜するように架け渡してある。揚送研磨装置は、回収されたパチンコ球を研磨しながら上部タンクまで搬送する機能を果たし、パチンコ球は島内で循環して再利用される。
【００５４】
このほか遊技機島２０の内部には、玉貸機２に投入された紙幣を島端の金庫へ搬送する紙幣搬送機２５や、玉貸機２に投入された硬貨を搬送するコイン搬送機２６などが設置されている。
【００５５】
図３および図４は、本発明に係わるパチンコ球補給装置３０の遊技機島２０への取り付け状態等を示している。図３は、パチンコ機１０を背面側から見た様子を、図４は、パチンコ機１０を側方から見た際の部分断面を示している。
【００５６】
パチンコ機１０は、遊技機島２０の横桟２７に支持固定される方形状の外枠１２を有し、この外枠１２の前方の縦一側端にヒンジを介して内枠１３が開閉自在に取り付けられている。この内枠１３に、図示省略の遊技盤や回路部品などパチンコ機１０を構成する部品の大部分が装着されている。
【００５７】
内枠１３の裏面上部には、玉補給管２３を通じて供給されるパチンコ球を一時的に貯留するための賞球タンク１１が取り付けてある。賞球タンク１１内のパチンコ球は、パチンコ機１０の正面に設けられた上受け皿１４（図２参照）に景品球（賞球）や貸玉として払い出される。
【００５８】
パチンコ球補給装置３０は、各パチンコ機１０が有する賞球タンク１１の上方に位置するように遊技機島２０の横桟２７に取り付けられる。パチンコ球補給装置３０は、玉補給管２３を通じて供給されるパチンコ球を賞球タンク１１へ、飛び出しの無い様に排出して補給するものであり、常時連続的にパチンコ球を補給する常時補給方式の補給装置である。
【００５９】
内枠１３の裏面に取り付けられている賞球タンク１１や各種の部品は、内枠１３の開閉に伴って外枠１２に対して開閉移動する。したがって、内枠１３を閉じると、図１に示すように賞球タンク１１はパチンコ球補給装置３０の下方へ進出し（破線で表示）、内枠１３を開くとパチンコ球補給装置３０の下方から賞球タンク１１が退却（実線で表示）するようになっている。
【００６０】
次に、図１及び図５から図１７を参照してパチンコ球補給装置３０の構成および機能を説明する。図５、図６等に示すように、パチンコ球補給装置３０は、断面Ｌ字状に平板を屈曲させた取付ベース３１と、この取付ベース３１の一辺に溶接等で固定されたスライドレール部３２と、スライドレール部３２にスライド可能に取り付けられたホルダー部３３とを備え、このホルダー部３３にパチンコ球を補給するための各種の部品が取り付けられている。
【００６１】
パチンコ球補給装置３０は、図１および図３に示すように、取付ベース３１のＬ字の角と横桟２７の下端手前の角とを合わせた状態で横桟２７に螺子止めされて遊技機島２０に取り付けられる。なお、取付ベース３１とスライドレール部３２とホルダー部３３とによりベース部が構成される。
【００６２】
図５、図６等に示すよう、スライドレール部３２は、上部が取付ベース３１に固定された矩形板状の底面部３４と、その左右両端に立設された右側壁３５と左側壁３６とから構成される。これらの側壁３５、３６にはそれぞれ底面部３４と平行に延びるスライドガイド穴３７、３８が形成されている。また左側壁３６には、スライドガイド穴３８に沿って並ぶ複数の位置決め穴３９が設けてある（図６参照）。
【００６３】
ホルダー部３３の左端にはスライドレール部３２の左側壁３６と近接対面する内側壁４１があり、ホルダー部３３の右端にはスライドレール部３２の右側壁３５のスライドガイド穴３７に係合する係合片４２が設けてある。また、内側壁４１には、スライドレール部３２の左側壁３６の位置決め穴３９に係合する突起と、螺子穴とが設けて有る。
【００６４】
ホルダー部３３は、係合片４２をスライドレール部３２の右側壁３５のスライドガイド穴３７に挿入し、内側壁４１の突起を位置決め穴３９に嵌めた状態で、スライドレール部３２の左側壁３６の外側からスライドガイド穴３８を通して蝶ボルト４３を先の螺子穴に締め込むことでスライドレール部３２に固定される。蝶ボルト４３を緩めることで、パチンコ機１０の賞球タンク１１と遊技機島２０の横桟２７との距離に応じてホルダー部３３を上下にスライドさせて適宜の位置に固定することができるようになっている。
【００６５】
図５は、ホルダー部３３を最下端にスライドさせて固定した状態におけるパチンコ球補給装置３０の正面を、図６はこの状態におけるパチンコ球補給装置３０の左側面をそれぞれ示している。また図７は、ホルダー部３３を最上端にスライドさせて固定した状態におけるパチンコ球補給装置３０の正面を、図８は、この状態におけるパチンコ球補給装置３０の左側面をそれぞれ示している。
【００６６】
ホルダー部３３の右上部には、玉補給管２３の下端部が接続される接続プラグ５１がその接続口を上向きにして支持されている。また、ホルダー部３３の左下部には、スライドレール部３２の底面部３４に対して垂直手前に突出した断面下向きコの字の支持腕５２が設けてある。この支持腕５２の先端に、開閉レバー６１が底面部３４と平行かつ横向きの回転軸５３で軸支されている。
【００６７】
開閉レバー６１は、図１に示すように、内枠１３の開閉に応じて賞球タンク１１の側壁（詳細には背面端）と係合し、内枠１３を閉じたときの第１の状態と、内枠１３を開いたときの第２の状態とに交互に回動するようになっている。第１の状態は、内枠１３を閉じたときに進出した賞球タンク１１の背面壁に開閉レバー６１が押し上げられた状態（図１４または図１の破線で示す状態）である。
【００６８】
第２の状態は、内枠１３を開いたときに賞球タンク１１の退却に追従し、開閉レバー６１が略鉛直下方向きとなった状態（図１５または図１の実線で示す状態）である。なお、開閉レバー６１の回動範囲は、支持腕５２の上面と開閉レバー６１との接触により規制される。
【００６９】
開閉レバー６１には、軸支された基端側から排出腕６２が突設されており、開閉レバー６１と排出腕６２とにより、全体として略Ｌ字状のコック部材６０を成している。排出腕６２の先端には、図１、図５、図７等に示すように、パチンコ球の排出部７０が設けて有る。
【００７０】
排出部７０は、排出腕６２の先端に形成されかつ開閉レバー６１を軸支する回転軸５３と平行に延びる略円筒状の空洞部７１（図１０参照）と、この空洞部７１に嵌入される図１１〜図１３等に示した排出ノズル７２と、空洞部７１に開設されたアウター排出口７３（図９、図１０等参照）と、排出ノズル７２に開設されたインナー排出口７４（図１１、図１２等参照）とから構成されている。
【００７１】
なお、図９は、コック部材６０の正面を、図１０は、コック部材６０の図９におけるＡ−Ａ断面をそれぞれ示している。また、図１１は、排出ノズル７２の正面を、排出ノズル７２の図１１におけるＢ−Ｂ断面を、図１３は、空洞部７１に排出ノズル７２を嵌入した状態をそれぞれ示している。
【００７２】
図９に示すように、アウター排出口７３は、空洞部７１の周壁のうち排出腕６２の先端部分に開設されており、パチンコ球１個が丁度通る大きさを有している。アウター排出口７３は、開閉レバー６１が第１の状態となったとき、真下（賞球タンク１１の底面を臨む方向）または斜め下方を向くようになっている。排出ノズル７２は、図１１および図１３に示すように、インナー排出口７４が周壁に開設され、かつ空洞部７１に嵌入される側の軸腕７５と、接続腕７６とが略Ｌ字に屈曲した形状を備えている。
【００７３】
軸腕７５は、インナー排出口７４よりも先へパチンコ球が行かないように先端側が封鎖されている。インナー排出口７４は、軸腕７５の周壁に楕円状もしくは長穴状に開設されており、その短径がパチンコ球の直径よりわずかに大きくなるように設定されている。
【００７４】
排出腕６２先端の空洞部７１と、これに嵌入された排出ノズル７２とが相対的に回転してアウター排出口７３とインナー排出口７４との穴位置が合うと、パチンコ球が排出ノズル７２の内部からアウター排出口７３を通って流出可能な補給状態となる。インナー排出口７４が楕円状を成しているので、空洞部７１と排出ノズル７２との相対位置が一定の角度範囲で補給状態が形成されるようになっている。
【００７５】
一方、アウター排出口７３とインナー排出口７４との穴位置がずれると、パチンコ球が排出ノズル７２の内部からアウター排出口７３を通って流出し得ない補給停止状態となる。このように排出部７０は、パチンコ球が流出可能な補給状態と流出不能な補給停止状態とを切り替えるパチンコ球流出阻止機構としての機能を備えている。
【００７６】
また、図９に示すように、開閉レバー６１の基端側の上部端面には突起部６３が突設されている。図５および図７に示すように、開閉レバー６１を軸支する支持腕５２の上面部には、第２の状態となった開閉レバー６１の突起部６３と対面する位置に図示省略の穴が開設されており、アクチュエータがこの穴を上方から丁度臨むようにしてスイッチ５４が取り付けてある。開閉レバー６１が図５や図７に示した第２の状態に位置するとき、スイッチ５４のアクチュエータが突起部６３に押されてオンするようになっている。ここでは、スイッチ５４として常開型の接点（ａ接点）を有するマイクロスイッチを使用している。
【００７７】
また、図５、図７に示すように、接続プラグ５１の下端部と排出ノズル７２の接続腕７６の端部とは、パチンコ球の案内管８０で接続されている。案内管８０は弾性を有するとともに、パチンコ球が円滑に通過し得る内径を所定量伸張した状態でも保持可能に構成されている。ここでは、案内管８０として線状のバネを巻回したコイルバネを用いている。案内管８０は、図１５または図１の実線で示す第１の状態のとき、フリーの状態よりもわずかに伸張されるようにその長さが設定されている。
【００７８】
案内管８０が接続プラグ５１の下端部に固定された位置Ａと（図１４参照）、開閉レバー６１の回転軸５３の位置Ｂと、案内管８０が排出ノズル７２の接続腕７６先端に係止された位置Ｃ（あるいは排出ノズル７２の回転中心）との位置関係は以下のように設定されている。すなわち、接続プラグ５１への固定端の位置Ａを、開閉レバー６１の回転軸の位置Ｂよりも、パチンコ機１０の存する側（取付ベース３１側）にする。また、開閉レバー６１が第１の状態（開閉レバー６１側へ最大限に回動した状態）になったとき、接続プラグ５１の下端部に固定された位置Ａと開閉レバー６１の回転軸の位置Ｂとを結ぶ直線（図示せず）を、接続腕７６先端に案内管８０が係止されている位置Ｃが越えないようにしてある。
【００７９】
さらに、図１４の第１の状態で位置Ａと位置Ｃを結ぶ直線（図示せず）と、図１５の第２の状態で位置Ａと位置Ｃとを結ぶ直線（図示せず）との角度差ができるだけ大きくなるようにすると、大きな復元力を得ることができる。具体的には、接続プラグ５１の下端に案内管８０を固定した位置Ａをできるだけ下げる。限界条件は、図１５の第２の状態において案内管８０がわずかに伸張し、かつ図１４の第１の状態に伸張した状態で案内管８０が降伏点を越えないことになる。
【００８０】
次に、パチンコ球補給装置３０の作用を説明する。  
パチンコ機１０の内枠１３を閉じると、図１４に示すように賞球タンク１１が矢印９１の示す方向へ移動してパチンコ球補給装置３０の下方へ進出する。これにより、開閉レバー６１が賞球タンク１１の側壁、詳細には賞球タンク１１の背面の側壁上端に係合して押し上げられ、図１４では開閉レバー６１が右周りに回動して第１の状態になる。このとき、案内管８０は伸張するが、パチンコ球が通過し得る内径が保持されるので、玉補給管２３を通じて供給されたパチンコ球は、案内管８０を通って排出ノズル７２内へ至る。
【００８１】
また、案内管８０によって排出ノズル７２の接続腕７６上端を常に接続プラグ５１の下端方向に引っ張るので、開閉レバー６１が第２の状態から第１の状態へ回動すると、排出腕６２の先端に設けた排出部７０の空洞部７１と排出ノズル７２とが相対回転し、図１６に示すように、アウター排出口７３とインナー排出口７４の穴位置が合い、パチンコ球が排出ノズル７２からインナー排出口７４およびアウター排出口７３を通って賞球タンク１１へ排出され得る補給状態になる。
【００８２】
補給状態において、賞球タンク１１内に貯留されているパチンコ球がアウター排出口７３からの流出を阻害しなければ、パチンコ球がアウター排出口７３を通じて賞球タンク１１内へ実際に排出される。このとき、アウター排出口７３は、ほぼ真下を向いており、パチンコ球は、賞球タンク１１の底面に向けて排出される。一方、賞球タンク１１内に貯留されているパチンコ球がアウター排出口７３近傍にあってここからの流出を阻害するときは、アウター排出口７３からパチンコ球が出なくなり、賞球タンク１１への補給が停止する。このように、補給状態では、賞球タンク１１内にほぼ一定量のパチンコ球が貯留するように、自動的にパチンコ球の補給が調整される。
【００８３】
また、開閉レバー６１が第１の状態になると、図１４や図１６などに示すように、排出腕６２の先端が下降して賞球タンク１１の中に進入する。そして、この進入している部分にパチンコ球の排出口であるアウター排出口７３が存在するので、賞球タンク１１からパチンコ球が溢れる前にアウター排出口７３からの流出が賞球タンク１１内のパチンコ球に阻害されて補給が停止し、常時補給方式としての適切な補給動作が確保される。
【００８４】
さらに、内枠１３を閉じた第１の状態では、図１４に示すように、排出腕６２の先端（詳細には、排出ノズル７２の接続腕７６の先端）を接続プラグ５１の下端に向けて案内管８０によって引っ張るので、開閉レバー６１が第２の状態へ復帰するように付勢される。また、開閉レバー６１の基端側の上部端面に突設された突起部６３がスイッチ５４のアクチュエータから離れて、スイッチ５４がオフになる。
【００８５】
このような第１の状態からパチンコ機１０の内枠１３を開くと、賞球タンク１１が図１５の矢印９２の示す方向へ退却する。このとき、案内管８０の張力によって開閉レバー６１が第１の状態から回動（図１４、１５では左周りに回動）して第２の状態に復帰する。
【００８６】
また、案内管８０によって排出ノズル７２の接続腕７６の端部を常に接続プラグ５１の下端側へ引っ張るので、開閉レバー６１が第１の状態から第２の状態へ回動すると、これに伴って排出腕６２の先端の空洞部７１と排出ノズル７２とが相対回転する。その結果、図１６に示すように、アウター排出口７３とインナー排出口７４の穴位置がずれて、パチンコ球が排出ノズル７２内からアウター排出口７３を通って排出され得ない補給停止状態が形成される。
【００８７】
さらに、開閉レバー６１が第２の状態になると、図１に示すように第１の状態に比べて排出腕６２の先端が上昇し、排出腕６２全体が賞球タンク１１の外（上方）へ退避した状態になる。これにより、内枠１３を開閉したときに排出腕６２と賞球タンク１１との衝突が回避される。また、第２の状態になると、図５に示すように、開閉レバー６１の基端側の上部端面に突設された突起部６３がスイッチ５４のアクチュエータを押圧し、スイッチ５４がオンになる。
【００８８】
スイッチ５４のオンオフにより、たとえば、内枠１３の開閉状態を検知することができる。このほか、スイッチ５４のオンオフにより、開閉レバー６１が第１の状態と第２の状態のいずれにあるか、パチンコ球流出機構が補給状態と補給停止状態のいずれにあるか等を検出することができる。
【００８９】
なお、インナー排出口７４が楕円状を成しているので、開閉レバー６１が第２の状態から第１の状態へ回動する途中から第１の状態に至るまでの所定の角度範囲において、補給状態が形成される。これにより、賞球タンクのサイズの違い等により、パチンコ機の内枠１３を閉じても開閉レバー６１が完全に第１の状態に至らないような場合でも、パチンコ球の補給が可能になり、様々な機種への適合が可能になる。
【００９０】
また、第１の状態から第２の状態へ回動する途中で補給状態から補給停止状態に切り替わるので、内枠を開く際に、賞球タンクからのパチンコ球の飛び出しが生じる前に補給停止状態にすることができる。ここでは、第２の状態から第１の状態側へ約３０度回動した箇所で補給状態と補給停止状態とが切り替わるようになっている。
【００９１】
このほか、賞球タンク１１内にパチンコ球が積み上がっている状態で内枠１３を開くと、空洞部７１と排出ノズル７２との相対回転によってアウター排出口７３とインナー排出口７４との位置がずれて行く過程で排出口にパチンコ球を挟み込む可能性がある。しかし、パチンコ球の挟み込みが生じて空洞部７１と排出ノズル７２との相対回転が不能になっても、開閉レバー６１の回動には影響を与えないので、パチンコ球を挟み込んだ状態のままで開閉レバー６１が第２の状態に復帰して内枠１３を円滑に開くことができる。この挟み込みは、内枠１３を閉じて開閉レバー６１が第１の状態へ変位過程で自然に解除される。
【００９２】
また、第１の状態において排出腕７２の賞球タンク１１内への進入量を少なくし得たのは、空洞部７１と排出ノズル７２との相対回転によるパチンコ球流出阻止機構を採用することで、補給状態でのアウター排出口７３を下方や斜め下方に向けることができたことにもよる。すなわち、横方向にパチンコ球を排出する場合には飛び出し防止のために排出口を賞球タンクの底面近くまで進入させなければならないが、下向きに排出口を設けることでパチンコ球が賞球タンク１１の外へ飛び出し難くなったので、進入量を少なくすることが可能になっている。
【００９３】
図１８および図１９は、突起部６３に代えて、開閉レバー６１ａの基端側の上部端面にカム６５を設けたコック部材６０ａの一例を示している。突起部６３の場合には、開閉レバー６１がほぼ完全に第２の状態にあるときだけスイッチ５４がオンする。これに対し、カム６５を用いたものでは、開閉レバー６１ａが所定の角度範囲にある間、スイッチ５４がオンするようになっている。
【００９４】
図１９は、カム６５によってスイッチ５４がオンオフされる様子を示している。スイッチ５４のアクチュエータ５５は、開閉レバー６１ａが第２の状態の手前の約３０度の範囲においてカム６５に押圧され、この角度範囲においてスイッチ５４がオンする。これにより、ある程度開いた時点で内枠１３の開放を検知することができ、たとえば、少しだけ内枠１３をこじ開けて行なう不正な行為を検出することが可能になる。
【００９５】
以上、本発明の実施の形態を図面によって説明してきたが、具体的な構成は実施の形態に示したものに限られるものではなく、本発明の要旨を逸脱しない範囲における変更や追加があっても本発明に含まれる。たとえば、パチンコ球流出阻止機構は、ソレノイド等で駆動することによってピンをパチンコ球の通路内に出没させる構成であってもよい。この場合、補給状態を形成してもパチンコ球が賞球タンク１１から飛び出さない位置に開閉レバー６１が存する角度範囲においてスイッチ５４がオンするように構成し、このスイッチ５４でソレノイド等への通電をオンオフするようにするとよい。
【００９６】
また、実施の形態では、第１の状態で排出部７０のアウター排出口７３がほぼ真下を向くように設定したが、賞球タンクから飛び出さない範囲で、斜め下方を向くように設定してもよい。なお、スイッチとして、アクチュエータが押された際に接点がオフ（ブレーク）する常閉型（ｂ接点）のスイッチを用いてもよい。また、スイッチは、マイクロスイッチに限定されるものではない。
【図面の簡単な説明】
【００９７】
【図１】本発明の実施の形態に係わるパチンコ球補給装置の動きを示す説明図である。
【図２】パチンコ機と玉貸機とを一組としたものを多数列設収容した遊技機島の一部を示す正面図である。
【図３】本発明の実施の形態に係わるパチンコ球補給装置を遊技機島の横桟に取り付けた状態をパチンコ機の背面側から見た様子を示す説明図である。
【図４】本発明の実施の形態に係わるパチンコ球補給装置を遊技機島の横桟に取り付けた状態をパチンコ機の側方から見た様子を示す説明図である。
【図５】ホルダー部を最下端に移動させた状態のパチンコ球補給装置を示す正面図である。
【図６】ホルダー部を最下端に移動させた状態のパチンコ球補給装置を示す左側面図である。
【図７】ホルダー部を最上端に移動させた状態のパチンコ球補給装置を示す正面図である。
【図８】ホルダー部を最上端に移動させた状態のパチンコ球補給装置を示す左側面図である。
【図９】開閉レバーと排出腕とが一体に構成されたコック部材を示す正面図である。
【図１０】コック部材の図１０におけるＡ−Ａ断面図である。
【図１１】排出腕の先端の空洞部に嵌入される排出ノズルを示す正面図である。
【図１２】排出ノズルの図１１におけるＢ−Ｂ断面図である。
【図１３】空洞部に排出ノズルを嵌入した状態の一例を示す正面図である。
【図１４】開閉レバーが第１の状態にあるパチンコ球補給装置の右側面を示す説明図である。
【図１５】開閉レバーが第２の状態にあるパチンコ球補給装置の右側面を示す説明図である。
【図１６】アウター排出口とインナー排出口の穴位置が合って補給状態となった排出部の一例を示す断面図である。
【図１７】アウター排出口とインナー排出口の穴位置がずれて補給停止状態となった排出部の一例を示す断面図である。
【図１８】突起部に代えてカムを設けたコック部材の一例を示す右側面図である。
【図１９】コック部材のカムによってスイッチがオンオフされる様子を示す説明図である。
【符号の説明】
【００９８】
２…玉貸機
１０…パチンコ機
１１…賞球タンク
１２…外枠
１３…内枠
１４…上受け皿
２０…遊技機島
２１…玉補給樋
２２…玉取入器
２３…玉補給管
２４…回収樋
２５…紙幣搬送機
２６…コイン搬送機
２７…横桟
３０…パチンコ球補給装置
３１…取付ベース
３２…スライドレール部
３３…ホルダー部
３４…底面部
３５…右側壁
３６…左側壁
３７、３８…スライドガイド穴
３９…位置決め穴
４１…内側壁
４２…係合片
４３…蝶ボルト
５１…接続プラグ
５２…支持腕
５３…回転軸
５４…スイッチ
５５…アクチュエータ
６０、６０ａ…コック部材
６１、６１ａ…開閉レバー
６２…排出腕
６３…突起部
６５…カム
７０…排出部
７１…空洞部
７２…排出ノズル
７３…アウター排出口
７４…インナー排出口
７５…軸腕
７６…接続腕
８０…案内管
９１…内枠を閉じたときに賞球タンクが進出する方向を示す矢印
９２…内枠を開いたときに賞球タンクが退却する方向を示す矢印
【図１】
2005204687.tif 000003
【図２】
2005204687.tif 000004
【図３】
2005204687.tif 000005
【図４】
2005204687.tif 000006
【図５】
2005204687.tif 000007
【図６】
2005204687.tif 000008
【図７】
2005204687.tif 000009
【図８】
2005204687.tif 000010
【図９】
2005204687.tif 000011
【図１０】
2005204687.tif 000012
【図１１】
2005204687.tif 000013
【図１２】
2005204687.tif 000014
【図１３】
2005204687.tif 000015
【図１４】
2005204687.tif 000016
【図１５】
2005204687.tif 000017
【図１６】
2005204687.tif 000018
【図１７】
2005204687.tif 000019
【図１８】
2005204687.tif 000020
【図１９】
2005204687.tif 000021